(57)【要約】【課題】巾木本体とは別部材である不陸調整材を不要とすることによって製造効率を高め、また、床との不陸調整の機能を容易に実現できる巾木を提供する。【解決手段】壁２０と床２１との隅部を塞ぐ巾木Ａにおいて、芯材１の表面に柔軟な化粧シート２が貼着されており、下端部分に化粧シート２の裏面側より化粧シート２が残存するように長手方向にＶ字状溝３を設けており、Ｖ字状溝３は下端部分に複数並設されており、芯材１の下側表面１ｃを長手方向にわたりその縦断面が下方へ略円弧状に膨らむよう曲成した。【選択図】図２
2008025314.tif 000002
【特許請求の範囲】
【請求項１】
壁と床との隅部を塞ぐ巾木において、芯材の表面に柔軟な化粧シートが貼着されており、下端部分に芯材の裏面側より化粧シートが残存するように長手方向のＶ字状溝を形成することでこのＶ字状溝の底部分に柔軟変形部を形成したことを特徴とする巾木。
【請求項２】
Ｖ字状溝を下端部分に複数並設したことを特徴とする請求項１記載の巾木。
【請求項３】
芯材の下側表面を長手方向にわたりその縦断面が下方へ略円弧状に膨らむよう曲成し、化粧シートを裏面側へ巻き込むようにして同下側表面に貼着したことを特徴とする請求項１又は２記載の巾木。
【発明の詳細な説明】
【技術分野】
【０００１】
本願発明は、端部に柔軟性を有することによって床面に対する優れた追従性を得る巾木に関する。
【背景技術】
【０００２】
従来から、特開２００５−３３６７８２号公報に示されるように、床や壁に当接される不陸調整材を巾木の端部に取り付けられることが知られている。図４に示すように、巾木Ｂは、壁２０と床２１との隅部に取り付けられ、床２１の不陸によって生じた隙間Ｓを目立たなくしたり、隙間Ｓからの漏気を防ぐ役割を担うものであるが、この巾木Ｂだけではそれらの役割を完全に果たすことは困難である。そこで、巾木Ｂの端部に設けられた嵌合溝３０ａに挿入される挿入端４０ａを一端に備え、他端に床２１に当接される舌片４０ｂを備えた不陸調整材４０を用いることで、舌片４０ｂにより隙間Ｓをさらに目立たなくするとともに、隙間Ｓからの漏気を防いでいた。
【特許文献１】特開２００５−３３６７８２号公報
【発明の開示】
【発明が解決しようとする課題】
【０００３】
しかしながら、上記従来例である巾木Ｂにあっては、巾木Ｂと不陸調整材４０の二部材より構成されているため、それぞれの部材を製造した後に嵌合させる必要があり、製造効率が悪いという問題点があった。
【０００４】
本願発明は、上記背景技術に鑑みて発明されたものであり、その目的は、床面へ追従する不陸調整材としての機能を有し、且つ製造効率を高めることができる巾木を提供することを目的とする。
【課題を解決するための手段】
【０００５】
上記課題を解決するために、本願請求項１記載の発明では、壁と床との隅部を塞ぐ巾木において、芯材の表面に柔軟な化粧シートが貼着されており、下端部分に芯材の裏面側より化粧シートが残存するように長手方向のＶ字状溝を形成することでこのＶ字状溝の底部分に柔軟変形部を形成したことを特徴としている。
【０００６】
本願請求項２記載の発明では、上記請求項１記載の巾木において、Ｖ字状溝を下端部分に複数並設したことを特徴としている。
【０００７】
本願請求項３記載の発明では、上記請求項１又は２記載の巾木において、芯材の下側表面を長手方向にわたりその縦断面が下方へ略円弧状に膨らむよう曲成し、化粧シートを裏面側へ巻き込むようにして同下側表面に貼着したことを特徴としている。
【発明の効果】
【０００８】
本願請求項１記載の発明の巾木においては、下端部分に芯材の裏面側より化粧シートを残してＶ字状溝を設けることでＶ字状溝の底部に柔軟変形部が形成され、下端部分は、その柔軟変形部が床面に追従して変形することによって、同床面との隙間の発生を防止するものとなるので、不陸調整材を別部材で構成する必要がなくなり、製造効率を高めることができる。
【０００９】
本願請求項２記載の発明の巾木においては、複数のＶ字状溝を並設することで複数の柔軟変形部が形成され、下端部分にさらに柔軟性を増すことができ、床面への追従性を高めることができる。
【００１０】
本願請求項３記載の発明の巾木においては、芯材の下側表面を長手方向にわたりその縦断面が下方へ略円弧状に膨らむよう曲成し、化粧シートを裏面側へ巻き込むようにその下側表面に貼着することによって、化粧シートは湾曲した形状となるので、床面と当接する際の接触面積が小さくなり摩擦を低減することができ、その結果、下端部分は床面に当接し易くなり施工性を向上することができる。
【発明を実施するための最良の形態】
【００１１】
図１〜３は、本願発明の実施形態である巾木を示している。壁２０と床２１との隅部を塞ぐ巾木Ａにおいて、芯材１の表面に柔軟な化粧シート２が貼着されており、下端部分に芯材１の裏面側より化粧シート２が残存するように長手方向のＶ字状溝３を形成することでこのＶ字状溝３の底部分に柔軟変形部５を形成し、Ｖ字状溝３は下端部分に複数並設されており、芯材１の下側表面１ｃを長手方向にわたりその縦断面が下方へ略円弧状に膨らむよう曲成し、化粧シート２を裏面１ｄ側へ巻き込むようにして下側表面１ｃに貼着したものである。
【００１２】
以下、この実施形態の巾木をより具体的詳細に説明する。図１に示すように、巾木Ａは、芯材１の前側表面１ａの上端部分付近に長手方向の断面略コ字型溝８と、前側表面１ａと上側表面１ｂとの角部分長手方向に傾斜した面取り部９とを形成し、下側表面１ｃは長手方向にわたりその縦断面が下方へ略円弧状に膨らむよう曲成している。さらに、芯材１の前側表面１ａ、上側表面１ｂ及び下側表面１ｃにわたり、柔軟な化粧シート２を貼着されており、化粧シート２は合成樹脂や不織布、或いは、これ等を積層した複合材でなり、芯材１の前側表面１ａ、上側表面１ｂ及び下側表面１ｃの凹凸に沿って、接着剤を介して貼着固定される。また、化粧シート２は弾性に富む材料であってもよく、端部２ａが芯材１の裏面１ｄ側に巻き込むように貼着されて剥離し難い。
【００１３】
そして、芯材１の下端部分には、化粧シート２が残存する柔軟変形部５を形成するように芯材１の裏面１ｄ側より長手方向のＶ字状溝３を隣接して二箇所に設けられ、二箇所のＶ字状溝３の中央部に形成される山部３ａは芯材１の裏面１ｄの面より内側に形成されている。また、二箇所のＶ字状溝３の下側には、芯材１の一部が錘部６として形成される。
【００１４】
巾木Ａは、図２に示すように施工される。巾木Ａはその断面略コ字型溝８の底部分で、釘やネジなどの固着具１０によって室内の壁２０に取着固定される。この場合、芯材１の裏面１ｄが壁１０に当接され、化粧シート２の上縁である端部２ａは芯材１の裏面１ｄと壁２０とで挟持された状態となって剥離し難く、化粧シート２の下縁である端部２ｂは床２１に当接される。ここでは、二箇所に設けたＶ字状溝３の底部の柔軟変形部５が変形することによって、錘部６は床２１に追従して矢印Ｘ方向に回転することが可能であり、化粧シート２の端部２ｂと共に床２１に当接する。なお、Ｖ字状溝３の数をさらに増やすことによって、化粧シート２の柔軟変形部５が増え、巾木Ａの下端部分の柔軟性を増加させることもできる。
【００１５】
さらに、下側表面１ｃが裏面１ｄ側に巻き込むように長手方向に曲成していることによって、化粧シート２の端部２ｂと床２１との接触面積を小さくすることで摩擦を低減でき、化粧シート２の端部２ｂが床２１の表面を滑りやすくなり、錘部６の矢印Ｘ方向の回転が容易となるので、床２１への追従性を向上させることができる。なお、化粧シート２が弾性変形するものであれば、その弾性復元力によって錘部６及び化粧シート２の端部２ｂは床２１に対して確実に当接される。
【００１６】
したがって、この実施形態の巾木においては、下端部分に裏面１ｄ側より化粧シート２を残してＶ字状溝３を設けることでＶ字状溝８の底部に柔軟変形部５が形成され、下端部分は、その柔軟変形部５が床面に追従して変形することによって、床２１の表面との隙間の発生を防止するものとなるので、不陸調整材を別部材で構成する必要がなくなり、製造効率を高めることができる。
【００１７】
また、この実施形態の巾木においては、複数のＶ字状溝８を並設することで複数の柔軟変形部５が形成され、下端部分にさらに柔軟性を増すことができ、床２１への追従性を高めることができる。
【００１８】
また、この実施形態の巾木においては、芯材１の下側表面１ｃを長手方向にわたりその縦断面が下方へ略円弧状に膨らむよう曲成し、化粧シート２を裏面１ｄ側へ巻き込むようにその下側表面１ｃに貼着することによって、化粧シート２は湾曲した形状となるので、床２１の表面と当接する際の接触面積が小さくなり摩擦を低減することができ、その結果、下端部分は床面に当接し易くなり施工性を向上することができる。
【図面の簡単な説明】
【００１９】
【図１】本願発明の実施形態である巾木の断面図である。
【図２】本願発明の実施形態である巾木の取り付け状態での断面図である。
【図３】本願発明の実施形態である巾木の取り付け状態での斜視図である。
【図４】従来例である巾木および不陸調整材の断面図である。
【符号の説明】
【００２０】
Ａ  巾木
１  芯材
２  化粧シート
３  Ｖ字状溝
５  柔軟変形部
６  錘部
８  断面略コ字型溝
９  面取り部
１０  固着具
２０  壁
２１  床
Ｂ  巾木（従来例）
３０ａ  嵌合溝
４０  不陸調整材
４０ａ  挿入端
４０ｂ  舌片
【図１】
2008025314.tif 000003
【図２】
2008025314.tif 000004
【図３】
2008025314.tif 000005
【図４】
2008025314.tif 000006